(57)【要約】【課題】製造工程および組立が簡素化できるとともに、被緩衝物品を高い緩衝効果で保護することができるダンボール緩衝材を提供することを目的とする。【解決手段】補強部材１２ａ、１２ｂの各々が、折り目１６ａ、１６ｂを軸として内方（図中の矢印方向）に切り起こされる。この際、補強部材１２ａに形成された差込片１４ａと、補強部材１２ｂに形成された差込片１３ｂが外方に切り起こされるため、内壁面部２ａ、２ｂに各々切欠溝１７ａ、１７ｂが形成される。補強部材１２ａ、１２ｂの各々を上記矢印方向に直角に折り曲げて切り起こし、差込片１３ａを切欠溝１７ｂに挿入するとともに、差込片１４ｂを切欠溝１７ａに挿入することにより、各補強部材１２ａ、１２ｂが筒体ａと筒体ｂの間に張設される。【選択図】  図４
2005231641.tif 000002
【特許請求の範囲】
【請求項１】
連設された複数の壁面部を折曲させることにより形成され、被緩衝物品が載置される２つの筒体を備えるダンボール緩衝材において、
前記２つの筒体のそれぞれが有する内壁面部の各々に切り込みを設けて、前記内壁面部の各々の一部に補強部材を形成するとともに、前記内壁面部の各々から前記補強部材を切り起こすことにより、前記補強部材を前記２つの筒体の間に張設させることを特徴とするダンボール緩衝材。
【請求項２】
前記補強部材には差込片が設けられており、前記補強部材が切り起こされることにより、前記内壁面部の各々に切欠溝が形成されるとともに、一方の前記内壁面部に形成された前記補強部材の前記差込片が他方の前記内壁面部に形成された前記切欠溝に挿入され、前記他方の内壁面部に形成された前記補強部材の前記差込片が前記一方の内壁面部に形成された前記切欠溝に挿入されることにより、前記補強部材が前記２つの筒体の間に張設されることを特徴とする請求項１に記載のダンボール緩衝材。
【請求項３】
前記内壁面部の各々には、複数の前記補強部材が形成されていることを特徴とする請求項１または請求項２に記載のダンボール緩衝材。
【発明の詳細な説明】
【技術分野】
【０００１】
本発明は、製品を運搬する際に起きる外部衝撃から製品を保護するためのダンボール緩衝材に関する。
【背景技術】
【０００２】
包装容器に各種製品を収容する場合、包装容器と製品の間の隙間が大きいと、運搬時等に製品が包装容器内でがたついて、製品の損傷や変形が発生する恐れがある。従って、製品の損傷や変形の発生を防止するために、包装容器と製品との隙間に緩衝材を配置することが一般に行われている。
【０００３】
ここで、従来、この種の緩衝材としては、発泡スチロール等の合成樹脂を材料とした成形品や切出し品等がほとんどであったが、上記発泡スチロール製の緩衝材は、風体が嵩張るので、輸送、在庫に不都合があった。又、最近では、緩衝材に対してもリサイクルの要請が高まりつつあり、リサイクル性の低い発泡スチロール等の合成樹脂は敬遠される傾向が高まっている。そこで、近年、紙製の緩衝材が注目され始めており、特に、ダンボール製の緩衝材の需要が高まってきている。
【０００４】
このダンボール製の緩衝材は、各種製品の所要部の外形に合致し、且つ、その外形と包装容器の隙間の形状に合致した形状に成形しやすいという利点を有しており、この様なダンボール製の緩衝材の一例として、被緩衝物品を載置するための複数の筒体を備えるダンボール緩衝材が開示されている。
【０００５】
このダンボール緩衝材では、重量のある製品を載置した場合であっても、十分な緩衝効果を発揮させることにより被緩衝物品を保護すべく、ダンボール緩衝材に補強部材を設ける構成としている。即ち、当該ダンボール緩衝材においては、筒体の上面に製品を載置する構成となっているが、重量のある製品を載置した場合であっても、当該筒体が変形するのを防止するために、差込片が形成された他のダンボール部材を補強部材として筒体の内部に設け、緩衝材としての強度を高める構成としている（例えば、特許文献１参照）。
【特許文献１】特開２００１−４８２４０号公報
【発明の開示】
【発明が解決しようとする課題】
【０００６】
しかし、上記従来のダンボール緩衝材においては、被緩衝物品を保護するための緩衝効果を発揮することはできるものの、補強部材として別個のダンボール部材を用意しなければならないため、ダンボール緩衝材を構成する部品点数が増えてしまい、ダンボール緩衝材の組立工程が煩雑になるという問題があった。又、差込片が形成されたダンボール部材を使用すると、当該差込片を挿通させるための差込溝を別途形成しなければならないため、製造工程の段階において、当該差込溝を形成する工程が必要になるとともに、差込溝の形成により生じる不要なダンボールの小片（即ち、差込溝部分のダンボール片）を排除する工程が必要になるという問題があった。
【０００７】
本発明は上記課題に鑑みてなされたものであり、製造工程および組立が簡素化できるとともに、被緩衝物品を高い緩衝効果で保護することができるダンボール緩衝材を提供することを目的とする。
【課題を解決するための手段】
【０００８】
上記目的を達成するために、本発明のダンボール緩衝材は、連設された複数の壁面部を折曲させることにより形成され、被緩衝物品が載置される２つの筒体を備え、２つの筒体のそれぞれが有する内壁面部の各々に切り込みを設けて、内壁面部の各々の一部に補強部材を形成するとともに、内壁面部の各々から補強部材を切り起こすことにより、補強部材を２つの筒体の間に張設させることを特徴とする。
【０００９】
ここで、本発明のダンボール緩衝材においては、補強部材には差込片が設けられており、補強部材が切り起こされることにより、内壁面部の各々に切欠溝が形成されるとともに、一方の内壁面部に形成された補強部材の差込片が他方の内壁面部に形成された切欠溝に挿入され、他方の内壁面部に形成された補強部材の差込片が一方の内壁面部に形成された切欠溝に挿入されることにより、補強部材が２つの筒体の間に張設されるものとすることができる。
【００１０】
又、本発明のダンボール緩衝材においては、内壁面部の各々には、複数の補強部材が形成されているものとすることができる。
【発明の効果】
【００１１】
本発明のダンボール緩衝材によれば、２つの筒体のそれぞれが有する内壁面部の各々に切り込みを設けて、内壁面部の各々の一部に補強部材を形成するとともに、内壁面部の各々から補強部材を切り起こすことにより、補強部材を２つの筒体の間に張設させる構成としているため、補強部材として別個のダンボール部材を用意する必要がなくなり、ダンボール緩衝材を構成する部品点数の増加を防止することができるため、ダンボール緩衝材の組立工程を簡素化することができる。
【００１２】
又、本発明のダンボール緩衝材によれば、補強部材には差込片が設けられており、補強部材が切り起こされることにより、内壁面部の各々に切欠溝が形成されるとともに、一方の内壁面部に形成された補強部材の差込片が他方の内壁面部に形成された切欠溝に挿入され、他方の内壁面部に形成された補強部材の差込片が一方の内壁面部に形成された切欠溝に挿入されることにより、補強部材が２つの筒体の間に張設される構成としているため、差込片を挿通させるための差込溝を予め形成することなく補強部材を２つの筒体の間に張設することが可能になる。従って、製造工程の段階において、差込溝を形成する工程が不要になるとともに、差込溝の形成による不要なダンボールの小片が発生しないため、当該小片を排除する工程が不要になり、製造工程が簡素化できる。
【００１３】
更に、本発明のダンボール緩衝材によれば、内壁面部の各々には、複数の補強部材が形成される構成としているため、緩衝材としての強度を高めることができ、重量のある製品を載置した場合であっても、筒体が変形するのを防止することができる。従って、被緩衝物品を高い緩衝効果で保護することが可能になる。
【発明を実施するための最良の形態】
【００１４】
以下に、本発明の具体的な実施形態について図面を参照しながら説明する。図１は、本発明の実施形態に係るダンボール緩衝材の組立完成図である。本実施形態に係るダンボール緩衝材Ｋは、例えば、運搬時における振動や衝撃による被緩衝物品の変形を回避するためのものであり、図１に示す様に、その左右両側に、略直方体形状を有する２つの筒体ａ、ｂを備えている。被緩衝物品をダンボール緩衝材Ｋに載置させる際には、当該筒体ａ、ｂ上に被緩衝物品を直接載置させ、筒体ａ、ｂの上面が支持面となるように構成されている。
【００１５】
図２は、本発明の実施形態に係るダンボール緩衝材の展開図である。ダンボール緩衝材Ｋは、組立時に、筒体ａ、ｂの下面となる下側壁面部１ａ、１ｂと、筒体ａ、ｂの内面となる内側壁面部２ａ、２ｂと、筒体ａ、ｂの上面となり、上述した被緩衝物品の支持面となる上側壁面部３ａ、３ｂと、筒体ａ、ｂの外面になる外側壁面部４ａ、４ｂと、ダンボール緩衝材Ｋの底面となる底壁面部５とを有しており、これらの複数の壁面部１ａ〜４ａ、１ｂ〜４ｂ、及び５は、図２に示す折り目６ａ〜９ａ、及び６ｂ〜９ｂを介して連設されている。
【００１６】
下側壁面部１ａ、１ｂの外端部には、当該下側壁面部１ａ、１ｂの長手方向に沿って係止片１０ａ、１０ｂが設けられており、外側壁面部４ａ、４ｂには、各係止片１０ａ、１０ｂを挿入するための切り込み１１ａ、１１ｂが形成されている。又、内側壁面部２ａ、２ｂの各々には、２つの補強部材１２ａ、１２ｂが形成されている。ここで、補強部材１２ａは、図２に示す様に、内側壁面部２ａに切り込み１５ａ（図中の太線部分）を設けて、内側壁面部２ａの一部を切り込むことにより形成したものであり、各補強部材１２ａの両端部には、差込片１３ａ、１４ａが形成されるように切り込まれている。又、同様に、補強部材１２ｂは、内側壁面部２ｂに切り込み１５ｂ（図中の太線部分）を設けて、内側壁面部２ｂの一部を切り込むことにより形成したものであり、各補強部材１２ｂの両端部には、差込片１３ｂ、１４ｂが形成されるように切り込まれている。又、内側壁面部２ａ、２ｂの各々には、半切り状に形成された折り目１６ａ、１６ｂが形成されている。尚、当該折り目１６ａ、１６ｂを切り込まない構成としても良い。又、本実施形態においては、図２に示す折り目６ａ〜９ａ、６ｂ〜９ｂは山折りに、折り目１６ａ、及び１６ｂは谷折りに折曲させるものとする。
【００１７】
緩衝材Ｋを組立てる際には、まず、底壁面部５を底にして折り目９ａを直角に折り曲げて外側壁面部４ａを起立させ、この状態で上側壁面部３ａが底壁面部５と平行となる様に、折り目８ａを直角に折り曲げる。次に、折り目６ａを直角に折り曲げとともに、内側壁面部２ａが外側壁面部４ａと平行になる様に折り目６ａを直角に折り曲げ、下側壁面部１ａに設けられた係止片１０ａを、外側壁面部４ａに形成された切り込み１１ａに挿入することにより、略直方体形状を有する筒体ａが完成する。
【００１８】
次に、折り目９ｂを直角に折り曲げて外側壁面部４ｂを起立させ、この状態で上側壁面部３ｂが底壁面部５と平行となる様に、折り目８ｂを直角に折り曲げる。次に、折り目６ｂを直角に折り曲げとともに、内側壁面部２ｂが外側壁面部４ｂと平行になる様に折り目６ｂを直角に折り曲げ、下側壁面部１ｂに設けられた係止片１０ｂを、外側壁面部４ｂに形成された切り込み１１ｂに挿入することにより、略直方体形状を有する筒体ｂが完成し、図３に示す形状に成形される。尚、上述の組立て方法は一例であり、この順序に限定されるものではない。
【００１９】
ここで、本実施形態においては、上述のごとく、２つの筒体ａ、ｂの上側壁面部３ａ、３ｂが被緩衝物品の支持面として作用するが、図３に示した状態で被緩衝物品をダンボール緩衝材Ｋに載置すると、特に、被緩衝物品が重量のある製品等である場合は、筒体ａ、ｂが変形してしまい、十分な緩衝効果を発揮させることができなくなり、運搬時における振動や衝撃により被緩衝物品が変形してしまう恐れがある。
【００２０】
そこで、重量のある製品を載置した場合であっても、筒体ａ、ｂが変形するのを防止するために、ダンボール緩衝材Ｋに補強部材を設け、緩衝材としての強度を高める必要があるが、本実施形態においては、上述の補強部材１２ａ、１２ｂを設けるとともに、当該補強部材１２ａ、１２ｂを配置する際における構造上の工夫がなされている点に特徴がある。
【００２１】
即ち、図３に示した２つの筒体ａ、ｂの内側壁面部２ａ、２ｂの各々には、上述のごとく、補強部材１２ａ、１２ｂが形成されているが、本実施形態においては、これらの補強部材１２ａ、１２ｂを切り起こして折曲させることにより、各補強部材１２ａ、１２ｂを筒体ａと筒体ｂの間に張設する点に特徴がある。
【００２２】
より具体的には、図３に示す状態から、折り目１６ａ、１６ｂを折り曲げると、図４に示す様に、補強部材１２ａ、１２ｂの各々が、当該折り目１６ａ、１６ｂを軸として内方（即ち、図中の矢印方向）に切り起こされる。この際、補強部材１２ａに形成された差込片１４ａと、補強部材１２ｂに形成された差込片１３ｂが外方に切り起こされるため、内壁面部２ａであって補強部材１２ａと切り込み１５ａの間に切欠溝１７ａが形成されるとともに、内壁面部２ｂであって補強部材１２ｂと切り込み１５ｂの間に切欠溝１７ｂが形成されることになる。
【００２３】
そうすると、補強部材１２ａ、１２ｂの各々を上記矢印方向に直角に折り曲げて切り起こし、補強部材１２ａの両端部に形成された差込片１３ａ、１４ａのうち、差込片１３ａを切欠溝１７ｂに挿入するとともに、補強部材１２ｂの両端部に形成された差込片１３ｂ、１４ｂのうち、差込片１４ｂを切欠溝１７ａに挿入することにより、各補強部材１２ａ、１２ｂを筒体ａと筒体ｂの間に張設することが可能になる（図５参照）。
【００２４】
以上により、ダンボール緩衝材Ｋの組立てが完了し、ダンボール緩衝材Ｋは図１に示した組立完成図の様に成形されることになる。尚、本実施形態においては、図５に示す様に、補強部材１２ａ、１２ｂを張設する際に、両補強部材１２ａ、１２ｂがダンボール緩衝材Ｋの長手方向において重なり合う様に構成されている。
【００２５】
以上に説明した様に、本実施形態におけるダンボール緩衝材Ｋにおいては、内壁面部２ａ、２ｂに切り込み１５ａ、１５ｂを設けて、内壁面部２ａ、２ｂの各々の一部に補強部材１２ａ、１２ｂを形成するとともに、内壁面部２ａ、２ｂに形成された折曲線を折曲させ、内壁面部２ａ、２ｂから補強部材１２ａ、１２ｂを切り起こすことにより、各補強部材１２ａ、１２ｂを筒体ａと筒体ｂの間に張設させる構成としているため、補強部材として別個のダンボール部材を用意する必要がなくなる。従って、ダンボール緩衝材を構成する部品点数の増加を防止することができるため、ダンボール緩衝材の組立工程を簡素化することが可能になる。
【００２６】
又、補強部材１２ａには差込片１３ａ、１４ａが形成されるとともに、補強部材１２ｂには差込片１３ｂ、１４ｂが形成されており、補強部材１２ａ、１２ｂの各々が切り起こされることにより、内壁面部２ａに切欠溝１７ａが形成されるとともに、内壁面部２ｂに切欠溝１７ｂが形成され、補強部材１２ａの差込片１３ａが内壁面部２ｂに形成された切欠溝１７ｂに挿入されるとともに、補強部材１２ｂの差込片１４ｂが内壁面部２ａに形成された切欠溝１７ａに挿入されることにより、各補強部材１２ａ、１２ｂが筒体ａと筒体ｂの間に張設される構成としているため、差込片１３ａ、１４ｂを挿通させるための差込溝を予め形成する必要がなくなる。従って、製造工程の段階において、差込溝を形成する工程が不要になるとともに、差込溝の形成による不要なダンボールの小片が発生しないため、当該小片を排除する工程が不要になり、製造工程が簡素化できる。
【００２７】
又、本実施形態におけるダンボール緩衝材においては、筒体ａ、ｂのそれぞれが有する内壁面部２ａ、２ｂの各々に、２つの補強部材１２ａ、１２ｂを形成する構成としているため、緩衝材としての強度を高めることができ、重量のある製品を載置した場合であっても、当該筒体ａ、ｂが変形するのを防止することができる。従って、被緩衝物品を高い緩衝効果で保護することが可能になる。
【００２８】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００２９】
例えば、上記実施形態においては、内壁面部２ａ、２ｂに、補強部材１２ａ、１２ｂを各々２つ設ける構成としたが、被緩衝物品の重量等に応じて、１つ、又は３つ以上の補強部材１２ａ、１２ｂを各内壁面部２ａ、２ｂに設ける構成とすることができ、特に、３つ以上の補強部材１２ａ、１２ｂを各内壁面部２ａ、２ｂに設ける構成とすれば、緩衝材としての強度を更に高めることができ、重量のある製品を載置した場合であっても、当該筒体ａ、ｂが変形するのを確実に防止することができる。
【００３０】
又、上記実施形態においては、内壁面部２ａ、２ｂに、補強部材１２ａ、１２ｂを設ける構成としたが、底壁面部５に他の補強部材を設ける構成としても良い。例えば、底壁面部５に切り込みを設けて、底壁面部５の一部を切り込むことにより両端部に差込片を有する他の補強部材（不図示）を形成し、当該他の補強部材を底壁面部５より切り起こして、一方の差込片を内壁面部２ａに形成された切欠溝１７ａに挿入するとともに、他方の差込片を内壁面部２ｂに形成された切欠溝１７ｂに挿入することにより、各補強部材１２ａ、１２ｂと同様に、他の補強部材が筒体ａと筒体ｂの間に張設される構成としても良い。この様な構成とすることにより、上述の実施形態と同様の効果が得られるとともに、張設される補強部材数が増加するため、被緩衝物品を更に高い緩衝効果で保護することが可能になる。
【産業上の利用可能性】
【００３１】
本発明の活用例としては、製品を運搬する際に起きる外部衝撃から製品を保護するためのダンボール緩衝材が挙げられる。
【図面の簡単な説明】
【００３２】
【図１】本発明の実施形態に係るダンボール緩衝材の組立完成図である。
【図２】本発明の実施形態に係るダンボール緩衝材の展開図である。
【図３】本発明の実施形態に係るダンボール緩衝材における筒体の組立が完成した状態を示す図である。
【図４】本発明の実施形態に係るダンボール緩衝材における補強部材の張設機構を説明するための部分拡大図である。
【図５】図４に示す補強部材が張設された状態を示す部分拡大図である。
【符号の説明】
【００３３】
２ａ、２ｂ        内壁面部
５                底壁面部
１２ａ、１２ｂ    補強部材
１３ａ、１４ａ    差込片  
１３ｂ、１４ｂ    差込片
１５ａ、１５ｂ    切り込み
１６ａ、１６ｂ    折り目
１７ａ、１７ｂ    切欠溝
Ｋ                緩衝材
ａ、ｂ            筒体    
【図１】
2005231641.tif 000003
【図２】
2005231641.tif 000004
【図３】
2005231641.tif 000005
【図４】
2005231641.tif 000006
【図５】
2005231641.tif 000007